(57)【要約】【課題】画像形成装置における異常に起因する給紙装置の紙詰まりを解消するための作業性を向上させる。【解決手段】用紙が積載される用紙積載手段と、該用紙積載手段に積載された上記用紙を順次搬送する搬送手段１ｂと、該搬送手段１ｂを制御する制御手段１ｉと、を備え、画像形成装置２に対して脱着可能な給紙装置であって、上記画像形成装置２に対する脱着状態を検出して検出信号を出力する検出手段１ｇを備え、上記制御手段１ｉは、上記画像形成装置２の異常を示す第１信号が外部から入力され、かつ、上記画像形成装置２から脱離状態であることを示す上記検出信号である第２信号が上記検出手段１ｇから入力された場合に、上記搬送手段１ｂを制御することによって、搬送途中の上記用紙を外部に排出する。【選択図】図３
2007320694.tif 000002
【特許請求の範囲】
【請求項１】
用紙が積載される用紙積載手段と、該用紙積載手段に積載された前記用紙を順次搬送する搬送手段と、該搬送手段を制御する制御手段と、を備え、画像形成装置に対して脱着可能な給紙装置であって、
前記画像形成装置に対する脱着状態を検出して検出信号を出力する検出手段を備え、
前記制御手段は、前記画像形成装置の異常を示す第１信号が外部から入力され、かつ、前記画像形成装置から脱離状態であることを示す前記検出信号である第２信号が前記検出手段から入力された場合に、前記搬送手段を制御することによって、搬送途中の前記用紙を外部に排出する
ことを特徴とする給紙装置。
【請求項２】
前記搬送手段が、前記前記用紙載置手段に積載された前記用紙を送り出す送出部と、該送出部に送り出された前記用紙を搬送する用紙搬送部と、を備え、
前記制御手段は、
前記第１信号が入力された時点で、前記用紙搬送部の駆動を停止するとともに前記送出部を前記用紙の送り出し完了まで駆動した後に停止し、
前記第２信号が入力された時点で、前記用紙搬送部のみを駆動する
ことを特徴とする請求項１記載の給紙装置。
【請求項３】
前記搬送手段が、前記前記用紙載置手段に積載された前記用紙を送り出す送出部と、該送出部に送り出された前記用紙を搬送する用紙搬送部と、を備え、
前記制御手段は、
前記第１信号が入力された時点で、前記送出部及び前記用紙搬送部の駆動を停止し、
前記第２信号が入力された時点で、前記送出部を前記用紙の送り出し完了まで駆動した後に停止するとともに前記用紙搬送部を駆動する
ことを特徴とする請求項１記載の給紙装置。
【請求項４】
前記用紙の位置を検出して位置検出信号を出力する位置検出手段を備え、
前記制御手段は、前記位置検出信号に基づいて、前記第２信号が入力された時点における前記用紙搬送部の駆動量を決定する
ことを特徴とする請求項２または３記載の給紙装置。
【請求項５】
前記制御手段は、排出時における前記用紙の落下が防止されるように、前記用紙の後側端部が前記用紙搬送部によって保持された状態で停止するように前記用紙搬送部の駆動量を決定することを特徴とする請求項４記載の給紙装置。
【請求項６】
前記制御手段は、前記第２信号が入力された時点における前記用紙搬送部の駆動量を、前記搬送手段の最も深部に位置する前記用紙が排出可能な量以上とすることを特徴とする請求項２または３記載の給紙装置。
【請求項７】
画像形成装置と、該画像形成装置に用紙を供給する給紙装置とを備える給紙装置付き画像形成装置であって、
請求項１〜６いずれかに記載の給紙装置を前記給紙装置として備えることを特徴とする給紙装置付き画像形成装置。
【発明の詳細な説明】
【技術分野】
【０００１】
本発明は、給紙装置及び給紙装置付き画像形成装置に関するものである。
【背景技術】
【０００２】
例えば、電子書類を印刷したり、印刷済みの書類を複写するような環境で使用される印刷機器や複写機等の画像形成装置には、画像形成装置へ用紙を供給するための大容量のフィーダ（給紙装置）が別途付設される場合がある。
このようなフィーダは、例えば、画像形成装置の内部に設置される用紙収納部よりも大量の用紙を収納可能とされており、画像形成装置における大量の連続印刷を可能としている。
【０００３】
ところで、フィーダでは、内部の用紙トレイ上に載置された用紙束から、搬送ローラ等を用いて用紙を１枚ずつ連続的に搬送している。このため、画像形成装置の何らかのトラブルによって画像形成装置の動作が停止すると、画像形成装置への用紙の供給ができなくなり、結果として搬送途中の用紙がフィーダの内部に取り残された状態（いわゆる紙詰まり状態）となる。このような場合には、作業者が、フィーダを画像形成装置から解離（脱離）させ、フィーダの内部に取り残された用紙を除去する必要がある。
【特許文献１】特開２０００−１６６１８号公報
【発明の開示】
【発明が解決しようとする課題】
【０００４】
しかしながら、フィーダの内部に取り残された用紙を除去するためには、フィーダを画像形成装置から解離させ、フィーダの筐体に形成されたカバーを開放し、露出されたフィーダの内部から用紙を取り出すといった一連の作業が必要となる。これら一連作業は、作業者が行う必要があり、作業者の手を煩わせることとなる。
【０００５】
本発明は、上述する問題点に鑑みてなされたもので、画像形成装置における異常に起因する給紙装置の紙詰まりを解消するための作業性を向上させることを目的とする。
【課題を解決するための手段】
【０００６】
上記目的を達成するために、本発明の給紙装置は、用紙が積載される用紙積載手段と、該用紙積載手段に積載された上記用紙を順次搬送する搬送手段と、該搬送手段を制御する制御手段と、を備え、画像形成装置に対して脱着可能な給紙装置であって、上記画像形成装置に対する脱着状態を検出して検出信号を出力する検出手段を備え、上記制御手段が、上記画像形成装置の異常を示す第１信号が外部から入力され、かつ、上記画像形成装置から脱離状態であることを示す上記検出信号である第２信号が上記検出手段から入力された場合に、上記搬送手段を制御することによって、搬送途中の上記用紙を外部に排出することを特徴とする。
【０００７】
また、本発明の給紙装置においては、上記搬送手段が、上記上記用紙載置手段に積載された上記用紙を送り出す送出部と、該送出部に送り出された上記用紙を搬送する用紙搬送部と、を備え、上記制御手段が、上記第１信号が入力された時点で、上記用紙搬送部の駆動を停止するとともに上記送出部を上記用紙の送り出し完了まで駆動した後に停止し、上記第２信号が入力された時点で、上記用紙搬送部のみを駆動するという構成を採用することができる。
また、本発明の給紙装置においては、上記搬送手段が、上記上記用紙載置手段に積載された上記用紙を送り出す送出部と、該送出部に送り出された上記用紙を搬送する用紙搬送部と、を備え、上記制御手段が、上記第１信号が入力された時点で、上記送出部及び上記用紙搬送部の駆動を停止し、上記第２信号が入力された時点で、上記送出部を上記用紙の送り出し完了まで駆動した後に停止するとともに上記用紙搬送部を駆動するという構成を採用することができる。
【０００８】
また、本発明の給紙装置においては、上記用紙の位置を検出して位置検出信号を出力する位置検出手段を備え、上記制御手段が、上記位置検出信号に基づいて、上記第２信号が入力された時点における上記用紙搬送部の駆動量を決定するという構成を採用することができる。
また、上記制御手段が、排出時における上記用紙の落下が防止されるように、上記用紙の後側端部が上記用紙搬送部によって保持された状態で停止するように上記用紙搬送部の駆動量を決定するという構成をさらに採用することができる。
【０００９】
また、本発明の給紙装置においては、上記制御手段が、上記第２信号が入力された時点における上記用紙搬送部の駆動量を、上記搬送手段の最も深部に位置する上記用紙が排出可能な量以上とするという構成を採用することもできる。
【００１０】
次に、本発明の給紙装置付き画像形成装置は、画像形成装置と、該画像形成装置に用紙を供給する給紙装置とを備える給紙装置付き画像形成装置であって、本発明の給紙装置を上記給紙装置として備えることを特徴とする。
【発明の効果】
【００１１】
本発明によれば、画像形成装置の異常を示す第１信号と、給紙装置が画像形成装置から脱離状態であることを示す第２信号とが制御装置に入力された場合、すなわち、画像形成装置における異常に起因する紙詰まりが生じた状態で給紙装置を脱離した場合に、給紙装置内における搬送途中の上記用紙が給紙装置の外部に排出される。このため、作業者は、給紙装置を画像形成装置から解離させる作業を行うのみで、紙詰まりの原因である用紙を供給装置の内部から除去することができる。
したがって、本発明によれば、画像形成装置における異常に起因する給紙装置の紙詰まりを解消するための作業性を向上させることが可能となる。
【発明を実施するための最良の形態】
【００１２】
以下、図面を参照して、本発明に係る給紙装置及び給紙装置付き画像形成装置の一実施形態について説明する。なお、以下の説明において、各部材を認識可能な大きさとするために、各部材の縮尺を適宜変更している。
【００１３】
図１は、本実施形態のフィーダ付き画像形成装置Ｓ１の外観を模式的に示す正面図である。
そして、図１に示すように、本実施形態のフィーダ付き画像形成装置Ｓ１は、フィーダ１と、画像形成装置２とを備えている。
【００１４】
フィーダ１は、画像形成装置２の側面に脱着可能に連結されている。このフィーダ１は、数千枚単位の用紙Ｐを積載可能であるとともに昇降可能な用紙トレイ１ａ（用紙積載手段）と、用紙トレイ１ａに載置された用紙束の最上部から順次用紙を画像形成装置２に搬送するフィーダ側用紙搬送部１ｂ（搬送手段）と、これら用紙トレイ１ａ及びフィーダ側用紙搬送部１ｂを収容する筐体１ｃと、を備えている。この筐体１ｃの上面部には用紙補給用の開口部が設けられており、当該開口部には上蓋１ｄが開閉可能に設けられている。
【００１５】
図２は、フィーダ側用紙搬送部１ｂの近傍を拡大した断面図である。この図に示すように、フィーダ側用紙搬送部１ｂは、用紙トレイ１ａに載置された用紙束の最上部の１枚を送り出すための供給ローラ１１（送出部）と、供給ローラ１１から送り出された用紙Ｐを筐体１ｃに形成された排出口１ｅまで搬送して排出する搬送ローラ１２とを備えている。なお、供給ローラ１１及び搬送ローラ１２は、不図示のモータに回転可能に支持されている。
【００１６】
供給ローラ１１は、不図示のアクチュエータに接続されることによって上下動可能とされている。そして、供給ローラ１１は、用紙を送り出す場合に、下降されることによって用紙束に対して圧接され、用紙Ｐの送り出しが完了した場合に、上昇されることによって用紙束と離間される。
【００１７】
搬送ローラ１２は、供給ローラ１１の側方に設置される捌きローラ対１２ａ，１２ｂと、筐体１ｃに形成された排出口１ｅの側方に設置されるデッキ搬送ローラ対１２ｃ，１２ｄとによって構成されている。
捌きローラ対１２ａ，１２ｂは、供給ローラ１１から供給される用紙Ｐをデッキ搬送ローラ対１２ｃ，１２ｄまで搬送するとともに、供給ローラ１１から供給される用紙Ｐが複数枚重なっている場合に、その重なりを解消して１枚ずつ用紙を送り出すものである。
デッキ搬送ローラ対１２ｃ，１２ｄは、捌きローラ対１２ａ，１２ｂから供給される用紙Ｐが排出口１ｅから排出されるように用紙Ｐを搬送するものである。
【００１８】
また、フィーダ側用紙搬送部１ｂ（供給ローラ１１，搬送ローラ１２）によって形成された用紙Ｐの搬送経路Ｋの途中部位（捌きローラ対１２ａ，１２ｂの側方及びデッキ搬送ローラ対１２ｃ，１２ｄの側方）には、複数のスイッチ１ｆが設置されている。これらのスイッチ１ｆは、各スイッチ１ｆの対応する部位に用紙Ｐが存在する場合にＯＮ、用紙Ｐが存在しない場合にＯＦＦに切り替わる、あるいは、用紙Ｐが存在する場合にＯＦＦ、用紙Ｐが存在しない場合にＯＮに切り替わるものである。
【００１９】
図１に戻り、本実施形態における画像形成装置２は、複写機であり、フィーダ１から給紙される用紙Ｐに、原稿に印刷された画像の複写を行うものである。
この画像形成装置２は、図１に示すように、作業者が操作指示を入力するものであり画像形成装置２の筐体２ｆに露出して設置される操作部２ａと、同じく筐体２ｆに露出して設置されるとともに各種表示を行う表示部２ｂと、画像形成装置２の上部を構成するものであり原稿Ｘに形成された画像を読み取るための画像読取部２ｃと、筐体２ｆの内部に設置されるとともに用紙Ｐに対して印刷（画像形成）を行う印刷部２ｄ、筐体２ｆの側部に設置されるとともに印刷後の用紙Ｐが排紙される排紙トレイ２ｅを備えている。なお、筐体２ｆの内部には、フィーダ１から受け取った用紙Ｐを搬送するための画像形成装置側用紙搬送部（搬送ローラやレジストローラ）等も設置されているが、周知の構成であるため図１における説明を省略する。
【００２０】
図３は、本実施形態のフィーダ付き画像形成装置Ｓ１の機能構成を示したブロック図である。
この図に示すように、フィーダ１は、図１及び図２に示した構成の他に、フィーダ１の画像形成装置２に対する脱着状態を検出する脱着検出センサ１ｇと、用紙トレイ１ａを駆動するための用紙トレイ駆動部１ｈと、フィーダ１全体の制御を行うためのフィーダ側制御部１ｉ（制御手段）とを備えている。
【００２１】
フィーダ側制御部１ｉは、フィーダ側用紙搬送部１ｂ、スイッチ１ｆ、用紙トレイ駆動部１ｈ及び脱着検出センサ１ｇと電気的に接続されている。
そして、フィーダ側制御部１ｉは、フィーダ側用紙搬送部１ｂの供給ローラ１１及び搬送ローラ１２の駆動制御、スイッチ１ｆからの入力信号に基づく用紙Ｐの位置の算出、用紙トレイ駆動部１ｈの駆動制御、脱着検出センサ１ｇからの入力信号に基づくフィーダ１の脱着状態判定等の種々の処理を行う。
【００２２】
画像形成装置２は、図１に示した構成の他に、画像読取部２ｃにおいて読み取られた画像データを一時的に記憶するための記憶部２ｈと、画像読取部２ｃにおいて読み取られた画像データに所定の処理を施す画像処理部２ｉと、画像形成装置２全体の制御を行うための画像形成装置側制御部２ｊとを備えている。
この画像形成装置側制御部２ｊは、操作部２ａ、表示部２ｂ、画像読取部２ｃ、印刷部２ｄ、画像形成装置側用紙搬送部２ｇ、記憶部２ｈ及び画像処理部２ｉと電気的に接続されている。
そして、画像形成装置側制御部２ｊは、操作部２ａから入力される指示に基づいた処理、所定情報の表示部２ｂへの出力、画像読取部２ｃにおける原稿Ｘに形成された画像の読み取り、印刷部２ｄにおける用紙Ｐへの画像形成、画像形成装置側用紙搬送部２ｇの駆動制御等の種々の処理を行う。
【００２３】
また、画像形成装置２に対してフィーダ１が装着された状態において、フィーダ側制御部１ｉと画像形成装置側制御部２ｊとが電気的に接続される。
そして、これらのフィーダ側制御部１ｉと画像形成装置側制御部２ｊとが接続状態で、一体的に機能することによって、本実施形態のフィーダ付き画像形成装置Ｓ１の動作が制御される。
【００２４】
このような本実施形態のフィーダ付き画像形成装置Ｓ１では、フィーダ側制御部１ｉ及び画像形成装置側制御部２ｊとの制御の下、操作部２ａからの開始指示により、画像読取部２ｃによって原稿Ｘに基づく画像データが取得され、この画像データが一旦記憶部２ｈに記憶される。続いて、記憶部２ｈに記憶された画像データが画像処理部２ｉにて印刷部２ｄ用のデータに変換され、この印刷用データが印刷部２ｄに入力される。
これらの画像形成装置２側での動作に連動して、フィーダ１では、フィーダ側用紙搬送部１ｂによって用紙トレイ１ａに載置された用紙束から順次、連続的に用紙Ｐが搬送経路Ｋを介して画像形成装置２に供給される。
その後、フィーダ１から画像形成装置２に供給された用紙Ｐが、画像形成装置側用紙搬送部２ｇによって印刷部２ｄに搬送される。印刷部２ｄに用紙Ｐが搬送されると、印刷部２ｄは、入力された印刷用データに基づいて用紙Ｐに画像を形成する。そして、印刷部２ｄにおいて画像が形成された用紙Ｐが、再び画像形成装置側用紙搬送部２ｇによって搬送され、排紙トレイ２ｅから排紙される。
これらの動作によって、原稿Ｘの画像に基づく画像が用紙Ｐに複写される。
【００２５】
次に、本実施形態のフィーダ付き画像形成装置Ｓ１の特徴である、画像形成装置２にて異常が発生してフィーダ１に紙詰まりが生じた場合の動作について、図４に示すフローチャートを参照して説明する。
【００２６】
上述のような用紙Ｐへの印刷が連続して行われている場合に、何らかの異常が発生すると、画像形成装置側制御部２ｊは、画像形成装置２の動作を停止するとともに、画像形成装置２において異常が発生した旨を示す異常信号（第１信号）を出力する。
そして、フィーダ側制御部１ｉは、画像形成装置側制御部２ｊ（外部）から異常信号が入力される（ステップＳ１）と、フィーダ１の動作を停止する（ステップＳ２）。この結果、搬送経路Ｋに用紙Ｐが取り残され、いわゆる紙詰まり状態となる。
なお、フィーダ側制御部１ｉは、ステップＳ２において、供給ローラ１１が下降されて用紙束に対して圧接されている状態である場合には、供給ローラ１１のみを続けて駆動し、用紙Ｐの送り出しが完了して上昇するまで供給ローラ１１を駆動させてから停止する。つまり、フィーダ側制御部１ｉは、用紙束から用紙Ｐを送り出している途中で異常信号を受け取った場合には、用紙Ｐの送り出しが完了してから供給ローラ１１の駆動を停止する。これによって、用紙束からの送り出し途中で用紙Ｐが取り残されてしまうことを防止することができる。
【００２７】
次に、作業者がフィーダ１を画像形成装置２から解離することによって、フィーダ側制御部１ｉには、脱着検出センサ１ｇから、フィーダ１が画像形成装置２に対して解離されたことを示す解離信号（第２信号）が入力される（ステップＳ３）。
解離信号が入力されると、フィーダ側制御部１ｉは、スイッチ１ｆからの信号（検出信号）に基づいて搬送経路Ｋの何処の位置に用紙Ｐが取り残されているかを算出（検出）し、フィーダ側用紙搬送部１ｂの搬送ローラ１２の駆動量を決定する（ステップＳ４）。なお、本実施形態においては、搬送ローラ１２の駆動量は、搬送経路Ｋの途中に取り残された用紙Ｐが、その後側端部（搬送方向に対して後ろ側の端部）がデッキ搬送ローラ対１２ｃ，１２ｄによって保持された状態にてデッキ搬送ローラ対１２ｃ，１２ｄの回転が停止される量に決定される。
【００２８】
そして、フィーダ側制御部１ｉは、ステップＳ４において決定した駆動量に基づいて搬送ローラ１２を回転駆動する（ステップＳ５）。なお、本実施形態においては、フィーダ側用紙搬送部１ｂの供給ローラ１１を、用紙Ｐの送り出しが完了した状態まで駆動した後に停止している。このため、供給ローラ１１をステップＳ５において駆動する必要はなく、したがってステップＳ５において、供給ローラ１１は駆動されず、搬送ローラ１２のみが駆動される。すなわち、フィーダ側制御部１ｉは、異常信号が入力された時点で搬送ローラ１２の駆動を停止するとともに供給ローラ１１を用紙Ｐの送り出し完了まで駆動した後に停止し、解離信号が入力された時点で搬送ローラ１２のみを駆動する。
【００２９】
搬送ローラ１２が回転駆動されると、用紙Ｐが排出口１ｅからフィーダ１の外部に排出される。ここで、搬送ローラ１２の駆動量が、用紙Ｐの後側端部がデッキ搬送ローラ対１２ｃ，１２ｄによって保持された状態で停止するように設定されているため、用紙Ｐは、図５に示すように、後側端部がデッキ搬送ローラ対１２ｃ，１２ｄによって保持された状態で排出が完了する。
【００３０】
すなわち、本実施形態のフィーダ付き画像形成装置Ｓ１及びフィーダ１によれば、フィーダ側制御部１ｉは、異常信号が画像形成装置側制御部２ｊから入力され、かつ、解離信号が脱着検出センサ１ｇから入力された場合に、フィーダ側用紙搬送部１ｂを制御することによって、搬送経路途中に取り残された用紙Ｐを排出する。
つまり、本実施形態のフィーダ付き画像形成装置Ｓ１及びフィーダ１においては、作業者が、フィーダ１を画像形成装置２から解離させる作業を行うのみで、搬送経路途中に取り残された用紙Ｐが排出され、フィーダ１の紙詰まり状態が解消される。
したがって、本実施形態のフィーダ付き画像形成装置Ｓ１及びフィーダ１によれば、画像形成装置における異常に起因するフィーダ１の紙詰まりを解消するための作業性を向上させることが可能となる。
【００３１】
また、本実施形態のフィーダ付き画像形成装置Ｓ１及びフィーダ１においては、スイッチ１ｆからの信号（検出信号）に基づいて搬送経路Ｋの何処の位置に用紙Ｐが取り残されているかを算出（検出）し、フィーダ側用紙搬送部１ｂの搬送ローラ１２の駆動量を決定した。このため、搬送ローラの駆動を最小限に抑止することができ、余分な動力を消費する必要がなくなる。
【００３２】
また、本実施形態のフィーダ付き画像形成装置Ｓ１及びフィーダ１においては、搬送ローラ１２の駆動量が、用紙Ｐの後側端部がデッキ搬送ローラ対１２ｃ，１２ｄによって保持された状態で停止するように設定されている。このため、後側端部がデッキ搬送ローラ対１２ｃ，１２ｄによって保持された状態で排出され、用紙Ｐが床等に落下することを抑止し、その後の作業性をより向上させることができる。
【００３３】
以上、本発明の実施形態について図面を参照して詳説したが、具体的な構成は、上記実施形態に限定されるものではなく、本発明の要旨を逸脱しない範囲において設計変更等が可能である。
【００３４】
例えば、上記実施形態では、画像形成装置２が複写機である例について説明した。しかしながら、本発明はこれに限定されるものでなく、画像形成装置がファクシミリや複合機等であっても良い。
また、例えば、画像読取部３を備えず、ネットワーク経由や端末からダイレクトで入力されるカラー画像データに基づいた画像を印刷する画像形成装置であっても良い。
【００３５】
また、上記実施形態では、フィーダ側制御部１ｉが、異常信号が入力された時点で搬送ローラ１２の駆動を停止するとともに供給ローラ１１を用紙Ｐの送り出し完了まで駆動した後に停止し、解離信号が入力された時点で搬送ローラ１２のみを駆動する構成とした。しかしながら、本発明はこれに限定されるものではなく、フィーダ側制御部１ｉが、異常信号が入力された時点で供給ローラ１１及び搬送ローラ１２の駆動を停止し、解離信号が入力された時点で供給ローラ１１を用紙Ｐの送り出し完了まで駆動した後に停止するとともに搬送ローラ１２を駆動するという構成とすることもできる。
このような構成を採用した場合であっても、用紙Ｐを排出する際に、供給ローラ１１によって用紙Ｐが送り出された状態となるため、用紙束からの送り出し途中で用紙Ｐが取り残されてしまうことを防止することができる。
【００３６】
また、上記実施形態では、スイッチ１ｆからの信号（検出信号）に基づいて搬送経路Ｋの何処の位置に用紙Ｐが取り残されているかを算出（検出）し、フィーダ側用紙搬送部１ｂの搬送ローラ１２の駆動量を決定した。しかしながら、本発明はこれに限定されるものではなく、用紙Ｐの排出のために搬送ローラ１２を駆動する場合に、常に、フィーダ側用紙搬送部１ｂの最も深部（供給ローラ１１の直後）に位置する用紙Ｐが排出口１ｅから排出可能な量だけ、搬送ローラ１２を駆動しても良い。この場合には、搬送経路Ｋのいずれの位置に用紙Ｐがあっても、確実に排出することができるため、用紙Ｐの位置算出等の処理を行う必要がなくなり、制御が容易となる。
【００３７】
また、上記実施形態では、供給ローラ１１が上下動することによって、用紙束に対して圧接あるいは離間される構成とした。しかしながら、本発明はこれに限定されるものではなく、例えば、図６に示すように、供給ローラ１１が半月状に形状設定された構成を採用することもできる。このような場合には、供給ローラ１１の膨らみ部分が下方に位置する場合に供給ローラ１１と用紙束とが圧接されて用紙Ｐが送り出し状態とされ、供給ローラ１１の平部分が下方に位置する場合に供給ローラ１１と用紙束とが離間されて用紙Ｐの送り出しが完了した状態とされる。
【図面の簡単な説明】
【００３８】
【図１】本発明の一実施形態であるフィーダ付き画像形成装置の外観を模式的に示す正面図である。
【図２】本発明の一実施形態であるフィーダ付き画像形成装置が備えるフィーダ側用紙搬送部の近傍を拡大した断面図である。
【図３】本発明の一実施形態であるフィーダ付き画像形成装置の機能構成を示したブロック図である。
【図４】本発明の一実施形態であるフィーダ付き画像形成装置の特徴的な動作を説明するためのフローチャート図である。
【図５】用紙の排出状態を示す模式図である。
【図６】本発明の一実施形態であるフィーダ付き画像形成装置の変形例であり、フィーダ側用紙搬送部の近傍を拡大した模式図である。
【符号の説明】
【００３９】
Ｓ１……フィーダ付き画像形成装置（給紙装置付き画像形成装置）、１……フィーダ（給紙装置）、１ａ……用紙トレイ（用紙積載手段）、１ｂ……フィーダ側用紙搬送部（搬送手段）、１ｅ……排出口、１ｆ……スイッチ（位置検出手段）、１ｇ……脱着検出センサ（検出手段）、１ｉ……フィーダ側制御部（制御手段）、１１……供給ローラ（送出部）、１２……搬送ローラ（用紙搬送部）、２……画像形成装置、Ｋ……搬送経路、Ｐ……用紙、Ｘ……原稿
【図１】
2007320694.tif 000003
【図２】
2007320694.tif 000004
【図３】
2007320694.tif 000005
【図４】
2007320694.tif 000006
【図５】
2007320694.tif 000007
【図６】
2007320694.tif 000008